(57)【要約】【課題】  洗浄後の濡れた手を衛生的に乾燥させる手乾燥装置において、衛生性を向上させた手乾燥装置を得る。【解決手段】  手挿入部の内壁面または手挿入部から排水タンクに至るまでの経路の内壁面、または排水タンクの内壁面の表面にポリアニリンを含有することで、壁面上の水滴に電子を与えて強力な酸化力を有する活性酸素を生成するため、耐性菌の発生がなく、永続的に表面の殺菌及びそれに起因する異臭発生も防止でき、衛生性の高い手乾燥装置を得ることができる。【選択図】図１
2012075823.tif 000002
【特許請求の範囲】
【請求項１】
外部に向かって開口した挿入口を介して、水滴が付着した手を抜き差しする手挿入部と、この手挿入部の前記挿入口から手を挿入したときに前記手挿入部内に高速空気流を吹き当てる高圧空気発生装置と、前記高圧空気発生装置からの高速空気流により前記手から吹き飛ばされる付着していた水滴を溜める排水タンクとを備えた手乾燥装置において、前記手挿入部の内壁面または前記手挿入部から排水タンクに至るまでの経路の内壁面または排水タンクの内壁面のいずれかの表面の一部にポリアニリンを含有させたことを特徴とする手乾燥装置。
【請求項２】
前記ポリアニリンを含有する内壁面の表面抵抗値は１０^−３〜１０＾６Ω／□であることを特徴とする請求項１記載の手乾燥装置。
【請求項３】
前記ポリアニリンを含有する内壁面の表面は撥水性であることを特徴とする請求項１または２いずれか記載の手乾燥装置。
【請求項４】
前記ポリアニリンに、カーボンまたは金属粒子などの導電性無機物のうち少なくとも一つを混合させることを特徴とする請求項１または２いずれか記載の手乾燥装置。
【発明の詳細な説明】
【技術分野】
【０００１】
本発明は、洗浄後の濡れた手を衛生的に乾燥させる手乾燥装置に関するものである。
【背景技術】
【０００２】
手を衛生的な状態に保全するには、手の洗浄とともに洗浄後の乾燥も衛生的に行われる必要があり、そのために洗浄等により濡れた手を高圧空気により手に付着していた水分は手から吹き飛ばして迅速に乾燥する手乾燥装置が知られているが、従来の手乾燥装置では、使用者の手から滴り落ちた水滴は、手挿入部から排水タンクに至るまでの内壁面に付着したり、排水タンク内に流れ込んで溜まったりする。この内壁面に付着したり、排水タンクに溜まったりする水滴には、手の脂肪分、石鹸分、手指常在菌などが含まれているため、菌濃度が高く、手挿入部や排水タンクの衛生性低下の要因となってしまうという問題点があった。また、排水タンク２８内の水は、水量が溜まってから捨てるので、溜まるまでの間に時間が経過すると、排水タンク２８内の水中の菌はさらに繁殖し、悪臭を発生するという問題点もあった。このような問題に対して、手挿入部、排水タンク及び前記手挿入部から排水タンクに至るまでの経路の内壁面に抗菌剤を塗布または練り込むことで問題を解決する方法が知られている（例えば、特許文献１参照）。
【先行技術文献】
【特許文献】
【０００３】
【特許文献１】特開２００３−２７５１２９号
【発明の概要】
【発明が解決しようとする課題】
【０００４】
上記のような従来の手乾燥装置において、壁面へ塗布または練りこまれた抗菌剤では、塵埃などが表面に堆積すると抗菌性能が得られず、また、抗菌剤が効かないような耐性菌が発生することで、永続的な効果が得られない問題がある。水溶性材料や金属イオンを溶出させる方式のとすることで、表面の水滴中に抗菌成分の溶出が可能となるが、その場合、抗菌成分が全量溶出してしまうと効果が得られない。
【０００５】
そこで本発明では、例えば、壁面上の水滴に電子を与えて強力な酸化力を有する活性酸素を生成することで、耐性菌の発生がなく、永続的に表面の殺菌及びそれに起因する異臭発生も防止でき、衛生性の高い手乾燥装置を提供することを目的とする。
【課題を解決するための手段】
【０００６】
本発明の手乾燥装置は、外部に向かって開口した挿入口を介して、水滴が付着した手を抜き差しする手挿入部と、この手挿入部の前記挿入口から手を挿入したときに前記手挿入部内に高速空気流を吹き当てる高圧空気発生装置と、前記高圧空気発生装置からの高速空気流により前記手から吹き飛ばされる付着していた水滴を溜める排水タンクとを備えた手乾燥装置において、前記手挿入部の内壁面または前記手挿入部から排水タンクに至るまでの経路の内壁面または排水タンクの内壁面のいずれかの表面の一部にポリアニリンを含有させるものである。
【発明の効果】
【０００７】
この発明は、上述のように手乾燥装置の衛生性の持続性を解決するためになされたもので、外部に向かって開口した挿入口を介して、水滴が付着した手を抜き差しする手挿入部と、この手挿入部の前記挿入口から手を挿入したときに前記手挿入部内に高速空気流を吹き当てる高圧空気発生装置と、前記高圧空気発生装置からの高速空気流により吹き飛ばされる前記手に付着していた水滴を溜める排水タンクとを備えた手乾燥装置において、前記手挿入部の内壁面または前記手挿入部から排水タンクに至るまでの経路の内壁面に、ポリアニリンを含有したので、手乾燥時に手挿入部の内壁面または手挿入部から排水タンクに至るまでの経路の内壁面に付着する手に付着していた水滴の菌繁殖を永続的に防ぎ、排水タンク内に溜まる水の菌繁殖による異臭発生も防止できる。
【図面の簡単な説明】
【０００８】
【図１】本発明の実施の形態１に係る手乾燥装置を示す断面図である。
【図２】本発明の実施の形態１に係る手乾燥装置のポリアニリンの構造変化を表す化学式である。
【図３】本発明の実施の形態１に係る手乾燥装置のポリアニリンによる活性酸素の生成反応を示す模式図である。
【図４】本発明の実施の形態１に係るポリアニリンを含有する内壁面の表面抵抗値による過酸化水素生成量を示す図である。
【発明を実施するための形態】
【０００９】
実施の形態１．
図１はこの発明の実施の形態１である手乾燥装置を示す断面図で、図１において、１は手乾燥装置の外郭をなす箱体で、正面は前パネルと乾かすための手を差し入れる手挿入部２を形成する挿入部パネル、背面は背面板、側面は左右の側板、上面は上パネル、底部は門型のフレームにより構成される。手挿入部２は、箱体１の正面上部に正面側と両側面側が外部に向かって開口した挿入口を形成し、奥側へ向かって傾斜する斜めのＵ字状凹部に形成され、目視可能の状態で自由に手を抜き差しできる間口と高さ及び奥行きを有している。３は手に付着している水滴を吹き飛ばすための高圧の風を手挿入部２に送り込む高圧空気発生装置で、ＤＣブラシレスモータによって回転するターボファンよりユニットとして構成され、箱体１の底部を構成するフレームの上面部に吸気口を下向きにして取り付けられる。４は高圧空気発生装置３を制御する制御部、５は手挿入部２の奥側底部に形成される排水口、６は排水口５と手挿入部２から吹き飛ばされた水滴を排水タンク７へと接続するドレンパイプ、８は手挿入部２の入口側と奥側に取り付けられる手の出入りを検知する人体検知センサで、発光側８ａは下部側壁面に、受光側８ｂは上部側壁面にそれぞれ取り付けられている。９は機外に開口する吸気口で、防菌防カビ処理をしたフィルタなどが取り付けられている。１０は吸気口９から高圧空気発生装置３に空気を送り込むための吸気通路、１１は高圧空気発生装置３の排気側と一端側をそれぞれ接続される排気通路、１２は手挿入部２の入口の上部に下向きと下部に上向きにそれぞれ取り付けられる吹出ノズルで、横方向に複数個のノズル穴（図示せず）が列をなして形成され、排気通路１１の他端側とそれぞれ接続される。１３は手挿入部２またはドレンパイプ６または排水タンク７のうち少なくとも一ヵ所において、ポリアニリンが含有された内壁表面である。
【００１０】
このように構成された手乾燥装置における動作について、以下に説明する。水滴が付着して濡れた手を広げ水平状態で手挿入部２の挿入口から入れると、人体検知センサ８により手が手挿入部２内に在ることを検知し、制御部４はこの検知結果に基づいて高圧空気発生装置３を駆動させる。高圧空気発生装置３は、吸気口９から空気を吸い込み、その空気は吸気通路１０内を通り高圧空気発生装置３の排気側から排気通路１１に送られ、手挿入部２のそれぞれの吹出しノズル１２から所定の傾斜で、手挿入部２に挿入されている手の甲側と掌側の双方に同時に高速の風として吹出される。そして、手に付着していた水滴はこの高圧の風により、前方、すなわち、手挿入部２の奥側へ一気に吹き飛ばされ、一定時間経過後、濡れた手は乾燥し、手挿入部２に挿入していた手を手挿入部２から引き抜く。手挿入部２から手を引き抜くと、手の不在を人体検知センター８が検知し、制御部４は高圧空気発生装置３を停止する。処理後の風は手挿入部２の両側から外部に放出される。乾燥処理中に手から吹き飛ばされた水滴は、自重と風の力の双方により、手挿入部２の表面に付着し、さらに、手挿入部２の奥側底部の端に押しやられ、この部分に形成された排水口５からドレンパイプ６に流下する。ドレンパイプ６を流下した水は、排水タンク７に受容される。 
【００１１】
ここで、乾燥処理前に手に付着している水滴の菌濃度は、水道基準から水道水にも１００個／ｍｌ以下の菌が存在しており、さらに被乾燥物が人間の手の場合には手指に１Ｅ＋０５〜１Ｅ＋０７個の一般菌が存在しているため、高濃度の菌を含んだ状態となっている。このような状態の被乾燥物から吹き飛ばされて手挿入部２の内壁表面に付着した水滴は、１Ｅ＋０２〜１Ｅ＋０４個／ｍｌの菌濃度となる。この手挿入部２に付着した水滴は、表面張力の働きで、手挿入部２表面に保持され、手乾燥装置の使用頻度が高い場合は、水滴が集まり、重力によって排水口５に流れ込む。しかし、手乾燥装置の使用頻度が低い場合には、そのまま上述したような菌濃度の高い水滴の付着状態が維持されてしまう。このような状態の手挿入部２に付着した水滴は、上述したように、栄養分となる皮脂などの脂肪などが含まれているために、時間経過に伴って菌が繁殖してしまい、菌濃度が１Ｅ＋０５個／ｃｍ２ に達することもある。また、排水口５付近、ドレンパイプ６の内壁にも、水滴は残るため、同様に菌繁殖状態となってしまう。さらに、上述したような菌を含んでしまっている水滴が溜まる排水タンク７では、さらに微生物汚染が進んでしまい、菌濃度が１Ｅ＋０６個／ｍｌ以上となり、異臭を発生してしまう。 
【００１２】
上述のように水滴が残りやすい手挿入部やドレンパイプの内壁面や、排水タンクの内壁にポリアニリンを含有し、表面にポリアニリンを露出させることにより、ポリアニリンから水滴中の溶存酸素へ電子供給が行なわれ、活性酸素が生成して、水滴中に存在する菌を殺菌することができる。
【００１３】
ポリアニリンは、化学重合、または電解重合により生成され、電子の授受により酸化状態及び還元状態が可逆的に変化する導電性高分子である。図２及び３に示すようにポリアニリンは、水中の溶存酸素と接触することにより一電子還元されて活性酸素であるスーパーオキシドアニオンラジカル（・Ｏ２−）を生成し、自らは還元型から酸化型へ構造変化する。この反応過程において、スーパーオキシドアニオンラジカルだけでなく、ヒドロキシラジカル、過酸化水素などの活性酸素も生成される。このようにして得られた活性酸素は高い酸化力を有するため、菌及び皮脂などの有機物が存在する水滴中に活性酸素が生成し、殺菌及び有機物分解を行なう。
【００１４】
図４に、ポリアニリンの表面抵抗による過酸化水素の生成量を示す。図４に示す過酸化水素生成量は、ポリアニリンを担持した電極を有する電極対を水道水中３００ｍL中に浸漬して、両電極間に−１．４ＶｖｓＡｇＣｌの電圧を３時間後印加したときの値である。ポリアニリン固形分量１％をＮＭＰに分散して作製したポリアニリン液をＡＢＳ樹脂上に塗膜した基材を陰極、白金チタン電極を陽極として用いて評価を行ない、ポリアニリンへ添加する有機酸の量によりポリアニリンの表面抵抗を調整した。ポリアニリンの表面抵抗の増加とともに過酸化水素の生成量が低下し、１Ｅ＋０７Ω/□では殆ど過酸化水素は生成しない。表面抵抗値の上昇は、ポリアニリン内電子の移動が効率よく行なわれていないことを示しており、ポリアニリンから水中の溶存酸素への電子供給も効率よく行なわれず、活性酸素生成量が低下する。ポリアニリンを含有する材料の表面抵抗値を下げるために、以下の３つの手段がある。１つ目は、カーボンや金属粒子等の導電性無機物をポリアニリンと接触するように分散して添加する方法である。ポリアニリンと導電性無機物を混合することにより、ポリアニリンと導電性無機物との間で生じる酸化還元電位により、間に介在する水中で活性酸素が生成されやすくなる。２つ目は、ポリアニリンへの塩酸や硫酸、またはスルホン酸などの有機酸を添加する方法である。有機酸をポリアニリンに添加することで、ポリアニリン内で保持できる電子量が多くなるため、ポリアニリンと水中の溶存酸素間での電子の授受を容易に行なうことができる。３つ目は、直鎖状に合成したポリアニリンを成膜または樹脂内に含有する方法である。ポリアニリンの分子同士が絡み合うことなく、直鎖状に合成されることで、ポリアニリン間での電子の移動が容易に行なわれるため、表面抵抗値は下がる。上記の３つの手段により、表面抵抗値を１Ｅ−０３Ω/□まで低下することができ、活性酸素種の生成効率も増大できるため、好ましい。
【００１５】
また、酸化型構造を有したポリアニリンは、乾燥により還元型構造に戻ることが知られている（特許第３０４３９８１号参照）。手乾燥装置が使用されているときは、手挿入部内に水滴が付着し、ポリアニリンとの接触により活性酸素が生成するが、水滴がドレンパイプ内及びドレンタンク内に導入されることにより、触媒作用で酸化型構造に変化したポリアニリン表面は乾燥して還元型に戻るため、連続的な活性酸素生成が可能となる。
【００１６】
前記手挿入部の内壁面または前記手挿入部から排水タンクに至るまでの経路の内壁面に含有されるポリアニリンのバインダ及び添加剤にフッ素系樹脂またはシリコーン系樹脂などの疎水性材料を用いることで、ポリアニリン本来の疎水性が維持できるため、内壁面を撥水性とすることができ、水滴を積極的にドレンパイプ内及びドレンタンク内に導入することにより前記手挿入部の内壁面または前記手挿入部から排水タンクに至るまでの経路の内壁面の衛生性を維持できる。
【００１７】
また、上記に示すポリアニリンは、手挿入部の内壁面または手挿入部から排水タンクに至るまでの経路、または排水タンクに対して含有するだけでなく、吸気口から吹出ノズルに至るまでの風路の内側壁面上にも含有することで、空気中の水分とポリアニリンとの接触により、前記水分中の溶存酸素へ電子を供給することで活性酸素を生成することができる。
【００１８】
以上のように、本発明にかかる手乾燥装置は、抗菌性及び撥水性を単一の材料で得ることができ、また、ポリアニリンに対して乾燥送風されることで永続的な抗菌性が得られるため、手乾燥装置内での水の菌繁殖及びそれに起因する異臭発生も防止でき、衛生性の高い手乾燥装置を提供するものである。
【符号の説明】
【００１９】
１  箱体、２  手挿入部、３  高圧空気発生装置、４  制御部、５  排水口、６  ドレンパイプ、７  排水タンク、８  人体検知センサ、８ａ  発光側、８ｂ  受光側、９  吸気口、１０  吸気通路、１１  排気通路、１２  吹出ノズル、１３  ポリアニリン、１４  水。
【図１】
2012075823.tif 000003
【図２】
2012075823.tif 000004
【図３】
2012075823.tif 000005
【図４】
2012075823.tif 000006